(57)【要約】【課題】乗員が降車する際の眩しさを軽減することができる車室内照明装置を提供する。【解決手段】車外の照度を検出する車外照度検出手段として機能する車外カメラ４０と、車内の照度を検出する車内照度検出手段として機能する車内カメラ３０と、車外の照度と車室内の照度との照度差が所定閾値よりも大きいか否かを判定する照度差判定手段２１と、乗員の降車意志の有無を判定する降車意志判定手段２３と、降車意志判定手段２３によって乗員の降車意志ありと判定されたタイミングで照度差が所定閾値よりも大きい場合に、乗員に向かって発光部である防眩ランプ１１を所定照度で発光させる発光制御手段２４と、を備える構成とする。【選択図】図２
2018184106.tif 000002
【特許請求の範囲】
【請求項１】
車室内に設けられ車室内に向かって発光する発光部を備えた車室内照明装置であって、
車外の照度を検出する車外照度検出手段と、
車室内の照度を検出する車内照度検出手段と、
車外の照度と車室内の照度との照度差が所定閾値よりも大きいか否かを判定する照度差判定手段と、
乗員の降車意志の有無を判定する降車意志判定手段と、
前記降車意志判定手段によって乗員の降車意志ありと判定されたタイミングで、前記照度差判定手段によって前記照度差が前記所定閾値よりも大きいと判定されていると、前記乗員に向かって前記発光部を所定照度で発光させる発光制御手段と、を備える
ことを特徴とする車室内照明装置。
【請求項２】
請求項１に記載の車室内照明装置において、
前記発光制御手段は、さらに前記車外の照度が所定照度以上である場合に、前記発光部を発光させる
ことを特徴とする車室内照明装置。
【請求項３】
請求項１又は２に記載の車室内照明装置において、
前記発光制御手段は、前記車外の照度と同程度の照度となるように前記発光部を発光させる
ことを特徴とする車室内照明装置。
【請求項４】
請求項１から３の何れか一項に記載の車室内照明装置において、
前記発光制御手段は、前記発光部を発光させた後、前記発光部の照度を前記所定照度まで徐々に上昇させる
ことを特徴とする車室内照明装置。
【請求項５】
請求項１から４の何れか一項に記載の車室内照明装置において、
前記発光部は、乗降用の各ドアに対応して設けられ、
前記発光制御手段は、前記降車意志ありと判定された乗員が乗降に用いるドアに対応する前記発光部を発光させる
ことを特徴とする車室内照明装置。
【請求項６】
請求項１から５の何れか一項に記載の車室内照明装置において、
前記降車意志判定手段は、シフトレバーの位置がパーキング位置にあり、ドアロックが設定状態から解除状態に切り替わった場合に、乗員の降車意志ありと判定する
ことを特徴とする車室内照明装置。
【発明の詳細な説明】
【技術分野】
【０００１】
本発明は、車室内を照明する車室内照明装置に関する。
【背景技術】
【０００２】
自動車等の車両では、窓から車室内に光が入るものの、車室内の照度は車外の照度よりも低い。このため、従来、車外の照度に応じて車室内の明るさを調整する車室照明装置が様々提案されている。例えば、車室内の照度及び車外の照度を考慮し、乗員の感覚において常に一定の明るさを与えるようにしたものがある（特許文献１参照）。
【先行技術文献】
【特許文献】
【０００３】
【特許文献１】特開平１１−２５５０１７号公報
【発明の概要】
【発明が解決しようとする課題】
【０００４】
ところで、乗員が降車する際、つまり乗員が車室内から車外に出る際、乗員の周囲が急激に明るく変化することがある。降車しようとする乗員は、そのときの眩しさによって、一時的に視界が奪われたり、ふらつきが生じる虞がある。例えば、晴天日等のように車外の照度が高い場合や、窓ガラスに遮光フィルム等が貼り付けられ車室内の照度が低い場合等には、このような問題が特に生じやすい。
【０００５】
特許文献１に記載の装置は、このような車外に出る際の眩しさについては考慮されておらず、上述のような乗員のふらつき等の問題を解消することは難しい。
【０００６】
本発明は、このような事情に鑑みてなされたものであり、乗員が降車する際の眩しさを軽減することができる車室内照明装置を提供することを目的とする。
【課題を解決するための手段】
【０００７】
上記課題を解決する本発明の一つの態様は、車室内に設けられて車室内に向かって発光する発光部を備えた車室内照明装置であって、車外の照度を検出する車外照度検出手段と、車室内の照度を検出する車内照度検出手段と、車外の照度と車室内の照度との照度差が所定閾値よりも大きいか否かを判定する照度差判定手段と、乗員の降車意志の有無を判定する降車意志判定手段と、前記降車意志判定手段によって乗員の降車意志ありと判定されたタイミングで、前記照度差判定手段によって前記照度差が前記所定閾値よりも大きいと判定されていると、前記乗員に向かって前記発光部を所定照度で発光させる発光制御手段と、を備えることを特徴とする車室内照明装置にある。
【０００８】
ここで、前記発光制御手段は、さらに前記車外の照度が所定照度以上である場合に、前記発光部を発光させることが好ましい。
【０００９】
また前記発光制御手段は、前記車外の照度と同程度の照度となるように前記発光部を発光させることが好ましい。
【００１０】
また前記発光制御手段は、前記発光部を発光させた後、前記発光部の照度を前記所定照度まで徐々に上昇させることが好ましい。
【００１１】
また前記発光部は、乗降用の各ドアに対応して設けられ、前記発光制御手段は、前記降車意志ありと判定された乗員が乗降に用いるドアに対応する前記発光部を発光させることが好ましい。
【００１２】
また前記降車意志判定手段は、シフトレバーの位置がパーキング位置にあり、ドアロックが設定状態から解除状態に切り替わった場合に、乗員の降車意志ありと判定することが好ましい。
【発明の効果】
【００１３】
かかる本発明の車室内照明装置によれば、乗員の降車意志に応じて発光部を適宜発光させ、降車前に乗員の目を車外の明るさに慣れさせることで、乗員が降車した際に感じる眩しさを軽減することができる。したがって、降車時の眩しさに起因して乗員がバランスを崩すといった現象を抑制することができ、降車時の乗員の安全性を向上することができる。
【図面の簡単な説明】
【００１４】
【図１】本発明の一実施形態に係る車室内照明装置の概略構成を示す図である。
【図２】本発明の一実施形態に係る車室内照明装置の概略構成を示すブロック図である。
【図３】本発明に係る車室内照明装置による防眩制御の一例を示すフローチャートである。
【発明を実施するための形態】
【００１５】
以下、本発明の一実施形態について図面を参照して詳細に説明する。
本発明に係る車室内照明装置は、自動車等の車両に搭載されて車室内の明るさを調整するための装置である。図１及び図２に示すように、車室内照明装置１０は、車両１の乗降用の各ドア２に対応して設けられる発光部である防眩ランプ１１と、この発光部（防眩ランプ）１１の発光状態（点灯状態）を制御する制御部２０と、を備えている。
【００１６】
防眩ランプ１１は、既存のルームランプとは別途設けられ、例えば、ＬＥＤを光源として備え調光可能に構成されている。本実施形態では、車両１は、乗降用の４つのドア２（２ａ〜２ｄ）を備えており、車室内照明装置１０は、各ドア２ａ〜２ｄに対応する４つの防眩ランプ１１（１１ａ〜１１ｄ）を備えている。各防眩ランプ１１ａ〜１１ｄは、各ドア２の前端部付近に配置され、各ドア２に近接するシートに向かって（シートに着座する乗員の顔付近に向かって）発光するように設けられている。なお防眩ランプ１１自体の構成は、特に限定されず、既存の構成を採用すればよいため、ここでの詳細な説明は省略する。
【００１７】
また車両１には、車室内の状態を検出する車内センサとしての車内カメラ３０と、車両１の周囲の状態を検出する周囲センサとしての複数の車外カメラ４０と、が設けられている。車内カメラ３０は、例えば、フロントガラス（フロントウィンドウ）３の上部付近に車両後方側を向けて配置され、車室内全体を撮像可能に設けられている。この車内カメラ３０の撮像結果から、例えば、車室内の照度、乗員の着座位置等の情報を取得することができる。すなわち車内カメラ３０は、車室内の照度を検出する車内照度センサ（車内照度検出手段）としても機能する。なお本実施形態では、車内カメラ３０は１台のみ設けられているが、複数台設けられていてもよい。
【００１８】
車外カメラ４０は、車両１の周囲全体を撮像可能に設けられている。本実施形態では、各車外カメラ４０が車両１の前後左右の四方を向いて配置されている。具体的には、車外カメラ４０（４０ａ〜４０ｄ）は、車両１のフロントガラス３の中央部及び両側部、リアガラス（リアウィンドウ）４の中央部の４カ所にそれぞれ設けられている。車外カメラ４０ａは、車両１の前方を撮像し、車外カメラ４０ｂ，４０ｃは、車両１の左右側方を撮像し、車外カメラ４０ｄは、車両後方を撮像する。そして、これら車外カメラ４０ａ〜４０ｄの撮像結果から、車両１の周囲の状態（例えば、車外の照度等）を検出することができる。すなわち本実施形態に係る車外カメラ４０は、車外の照度を検出する車外照度センサ（車外照度検出手段）としても機能する。
【００１９】
さらに、車両１は、シフトレバー（図示なし）の位置を検出するシフトポジションセンサ５０と、各ドア２のドアロックが設定状態（施錠されている状態）であるか解除状態であるかを検出するロック状態検出センサ６０と、を備えている。
【００２０】
そして制御部２０は、上述した車内カメラ（車内センサ）３０、車外カメラ（車外センサ）４０、シフトポジションセンサ５０及びロック状態検出センサ６０の検出結果に基づいて、所定の防眩ランプ１１を選択的に点灯（発光）させる防眩制御を実行する。また、点灯させる防眩ランプ１１の照度を適宜調整する。
【００２１】
具体的には、制御部２０は、照度差判定手段２１と、乗車位置検出手段２２と、降車意志判定手段２３と、発光制御手段２４と、を備えている。
【００２２】
照度差判定手段２１は、車外の照度と車室内の照度との差（照度差）が、予め設定された閾値よりも大きいか否かを判定する。つまり照度差判定手段２１は、車外照度と車室内照度との差が大きいか否かを判定する。本実施形態では、照度差判定手段２１は、車内カメラ３０の撮像結果に基づいて車室内照度を演算すると共に車外カメラ４０の撮像結果から車外照度を演算し、これら車外照度と車室内照度との差（照度差）が、予め設定された閾値よりも大きいか否かを判定する。
【００２３】
また本実施形態では、照度差判定手段２１は、複数の車外カメラ４０ａ〜４０ｄの撮像結果に基づいて各ドア２（２ａ〜２ｄ）付近の車外照度をそれぞれ演算し、各ドア２ａ〜２ｄ付近の車外照度と車室内照度との差が、予め設定された閾値よりも大きいか否かを判定する。
【００２４】
乗車位置検出手段２２は、車内カメラ３０の撮像結果から、乗員の人数及び各乗員の乗車位置（着座位置）を検出する。
【００２５】
降車意志判定手段２３は、乗員の降車意志の有無、つまり乗員が車両１から降りる意志があるか否かを判定する。本実施形態では、降車意志判定手段２３は、例えば、シフトポジションセンサ５０の検出結果や、ロック状態検出センサ６０の検出結果等に基づいて、乗員の降車意志の有無を判定する。
【００２６】
具体的には、降車意志判定手段２３は、シフトレバーがパーキング位置にある状態で、ドアロックの状態が設定状態（施錠された状態）から解除状態に切り替わった場合に、乗員に降車意志があると判定する。乗員が複数人の場合、特定のドア２のドアロックのみが解除状態に切り替わると、そのドア２付近の乗員のみに降車意志があると判定する。また全てのドア２のドアロックが解除状態に切り替わった場合には、全ての乗員に降車意志ありと判定する。
【００２７】
そして発光制御手段２４は、降車意志判定手段２３によって乗員の降車意志ありと判定された際、照度差判定手段２１によって上記照度差が所定閾値よりも大きいと判定されていると、降車意志ありと判定された乗員に対応する防眩ランプ１１を所定照度で点灯させる。降車意志ありと判定された乗員が複数存在する場合には、各乗員に対応する複数の防眩ランプ１１を点灯させる。
【００２８】
なお、各乗員に対応する防眩ランプ１１とは、各乗員に最も近いドア２に対応して設けられた防眩ランプである。また、このときの照度差とは、降車意志ありと判定された各乗員に最も近いドア２付近の車外照度と車室内照度との差である。
【００２９】
このように降車意志のある乗員に向かって防眩ランプ１１を適宜点灯させることで、降車前に乗員の目を車外の明るさに慣れさせることができる。このため、乗員が実際に降車する際に感じる眩しさを軽減することができる。したがって、降車時の眩しさに起因して乗員がバランスを崩す（ふらつく）といった現象を抑制することができ、降車時の乗員の安全性を向上することができる。また乗員に降車意志がある場合にのみ防眩ランプ１１を点灯させるようにしているため、防眩ランプ１１の点灯が運転の妨げになることもない。
【００３０】
ここで、防眩ランプ１１を点灯させる際の照度は、予め設定された照度であってもよいが、車外照度と同程度になるように調整することが好ましい。防眩ランプ１１を点灯させれば、その照度に拘わらず乗員の降車時の眩しさを軽減することはできる。しかしながら、防眩ランプ１１の照度を車外照度と同程度になるように調整することで、乗員の眩しさをより効果的に軽減することができる。
【００３１】
また本実施形態では、車外照度と車室内照度との差が所定閾値よりも大きい場合に、防眩ランプ１１を点灯させるようにしたが、さらに車外照度が所定照度以上である場合に、防眩ランプ１１を点灯させるようにしてもよい。つまり車外照度と車室内照度との差が大きい場合でも、乗員が眩しさを感じるほど車外の照度が高くない場合には、防眩ランプ１１は点灯させないようにしてもよい。これにより、乗員の降車時の眩しさを適切に軽減することができ、且つ防眩ランプ１１の無駄な点灯も抑制することができる。
【００３２】
次に、図３のフローチャートを参照して、本実施形態に係る車室内照明装置による防眩制御の一例についてさらに説明する。
【００３３】
車両１が走行している際、まずステップＳ１で、車内カメラ３０の撮像結果に基づいて車室内照度を適宜取得（演算）すると共に、車外カメラ４０の撮像結果に基づいて車外照度（例えば、各ドア２に対応する車外照度）を適宜取得（演算）する。また、車内カメラ３０の撮像結果に基づいて、乗員の着座位置を取得する（ステップＳ２）。次いで、各乗員の降車意志の有無を判定する。
【００３４】
まずは、車両１のシフトレバーの位置を適宜取得し、シフトレバーの位置がパーキング位置であるか否か、つまり車両１が駐車中であるか否かを判定する（ステップＳ３）。ここで、シフトレバーがパーキング位置でない場合には（ステップＳ３：Ｎｏ）、乗員の降車意志なしと判定して処理を終了する。
【００３５】
一方、シフトレバーの位置がパーキング位置である場合、つまり駐車中である場合（ステップＳ３：Ｙｅｓ）、ステップＳ４に進み、さらに各ドア２のドアロックが設定状態から解除状態に切り替わったか否かを判定する。ここで、ドアロックが設定状態から解除状態に切り替わった場合（ステップＳ４：Ｙｅｓ）、乗員の降車意志ありと判定し、ステップＳ５に進む。
【００３６】
ステップＳ５では、車外照度と車室内照度との差（照度差）を演算し、次いで、この照度差が所定閾値よりも大きいか否かを判定する（ステップＳ６）。ここで、照度差が所定閾値よりも大きい場合（ステップＳ６：Ｙｅｓ）、ステップＳ７で防眩ランプ１１の目標照度を車外照度と同程度となるように調整し、その後、防眩ランプ１１を適宜点灯させる（ステップＳ８）。その際、乗員が過度な眩しさを感じないように、防眩ランプ１１を比較的低い照度で点灯させた後、目標照度まで徐々に上昇させることが好ましい。
【００３７】
またその後は、所定時間ｔが経過した時点で（ステップＳ９：Ｙｅｓ）、ステップＳ１０に進み、防眩ランプ１１を消灯させる。なお防眩ランプ１１は、例えば、ドア２が開かれた際に消灯するようにしてもよい。
【００３８】
一方、ステップＳ６で、車外照度と車室内照度との照度差が所定閾値以下である場合（ステップＳ６：Ｎｏ）、つまり車外の明るさと車室内の明るさとの差が比較的小さい場合、乗員に降車意志があっても防眩ランプ１１は点灯させることなく、防眩制御を終了する。
【００３９】
以上、本発明の一実施形態について説明したが、本発明は、上述した実施形態に限定されるものではなく、その趣旨を逸脱しない範囲で適宜変更が可能なものである。
【００４０】
例えば、上述の実施形態では、ドアロックが設定状態から解除状態に切り替わったか否かに基づいて、乗員の降車意志の有無を判定するようにしたが、降車意志の有無の判定条件は、特に限定されるものではない。例えば、乗員によってドアノブが操作された際（ラッチが解除された際）に、降車意志ありと判定してもよい。
【００４１】
また上述の実施形態では、車外カメラ及び車内カメラの撮像結果に基づいて車外及び車室内の照度を検出するようにしたが、これら車外照度及び車室内照度の検出方法は特に限定されず、例えば、照度センサにより検出するようにしてもよい。
【００４２】
また上述の実施形態では、複数の防眩ランプを個別に点灯（発光）・消灯させるようにしたが、勿論、全ての防眩ランプを同じタイミングで点灯・消灯させ、車室内全体を略均一な明るさとするようにしてもよい。
【００４３】
また上述の実施形態では、防眩ランプが既存のルームランプとは別途設けられた構成を例示したが、勿論、車室内を照らすためのルームランプが防眩ランプとしても機能するようにしてもよい。
【符号の説明】
【００４４】
１  車両
２  ドア
３  フロントガラス
４  リアガラス
１０  車室内照明装置
１１  防眩ランプ
２０  制御部
２１  照度差判定手段
２２  乗車位置検出手段
２３  降車意志判定手段
２４  発光制御手段
３０  車内カメラ
４０  車外カメラ
５０  シフトポジションセンサ
６０  ロック状態検出センサ
【図１】
2018184106.tif 000003
【図２】
2018184106.tif 000004
【図３】
2018184106.tif 000005